(57)【要約】【課題】シェーマの新規テンプレートの保存を容易にすることである。【解決手段】医用画像処理装置は、被写体の特徴量が対応付けられたシェーマの既存テンプレートを複数保存する記憶手段と、複数の前記既存テンプレートのうち、シェーマの新規テンプレートに対応する既存テンプレートとして、ユーザにより選択された既存テンプレートの特徴量を、前記新規テンプレートに対応付けて前記記憶手段に保存する（ステップＳ１４）制御手段と、を備える。【選択図】図３
2010240096.tif 000002
【特許請求の範囲】
【請求項１】
被写体の特徴量が対応付けられたシェーマの既存テンプレートを複数保存する記憶手段と、
複数の前記既存テンプレートのうち、シェーマの新規テンプレートに対応する既存テンプレートとして、ユーザにより選択された既存テンプレートの特徴量を、前記新規テンプレートに対応付けて前記記憶手段に保存する制御手段と、
を備えることを特徴とする医用画像処理装置。
【請求項２】
被写体の特徴量が段階的に変更されて作成された複数の既存テンプレートに、それぞれ被写体の特徴量を対応付けて、１シリーズの既存テンプレートとして保存する記憶手段と、
複数の前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成し、前記新規テンプレートに前記選択された既存テンプレートの特徴量を対応付け、前記作成された他の新規テンプレートに他の既存テンプレートの特徴量をそれぞれ対応付けて前記記憶手段に保存する制御手段と、
を備えることを特徴とする医用画像処理装置。
【請求項３】
シェーマの新規テンプレートがシェーマとして用いられた医用画像を画像解析して、被写体の特徴量を算出する制御手段を備え、
前記制御手段は、新規テンプレート毎に、新規テンプレートがシェーマとして用いられた医用画像から算出された特徴量を統計処理し、当該統計処理された特徴量を前記新規テンプレートに対応付けて記憶手段に保存する医用画像処理装置。
【請求項４】
前記シェーマは乳房を被写体とするシェーマであり、
前記被写体の特徴量には、乳房の横幅、乳房の縦幅、スキンラインの位置、乳頭の位置が含まれる請求項１〜３の何れか一項に記載の医用画像処理装置。
【請求項５】
医用画像処理装置によるシェーマの新規テンプレートの保存方法であって、
制御手段が、被写体の特徴量が対応付けられて記憶手段に保存されている複数のシェーマの既存テンプレートのうち、シェーマの新規テンプレートに対応する既存テンプレートとして、ユーザにより選択された既存テンプレートの特徴量を、前記新規テンプレートに対応付けて前記記憶手段に保存する工程を含むシェーマの新規テンプレートの保存方法。
【請求項６】
医用画像処理装置によるシェーマの新規テンプレートの保存方法であって、
制御手段が、被写体の特徴量が段階的に変更されて作成された複数の既存テンプレートに、それぞれ被写体の特徴量が対応付けられて記憶手段に保存されている１シリーズの前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成する工程と、
制御手段が、前記新規テンプレートに前記選択された既存テンプレートの特徴量を対応付け、前記作成された他の新規テンプレートに他の既存テンプレートの特徴量をそれぞれ対応付けて前記記憶手段に保存する工程と、
を含むシェーマの新規テンプレートの保存方法。
【請求項７】
医用画像処理装置によるシェーマの新規テンプレートの保存方法であって、
制御手段が、シェーマの新規テンプレートがシェーマとして用いられた医用画像を画像解析して、被写体の特徴量を算出する工程と、
制御手段が、新規テンプレート毎に、新規テンプレートがシェーマとして用いられた医用画像から算出された前記特徴量を統計処理する工程と、
制御手段が、前記統計処理された特徴量を前記新規テンプレートに対応付けて記憶手段に保存する工程と、
を含むシェーマの新規テンプレートの保存方法。
【請求項８】
コンピュータを、
被写体の特徴量が対応付けられたシェーマの既存テンプレートを複数保存する記憶手段、
複数の前記既存テンプレートのうち、新規テンプレートに対応する既存テンプレートとして、ユーザにより選択された既存テンプレートの特徴量を、前記新規テンプレートに対応付けて前記記憶手段に保存する制御手段、
として機能させるためのプログラム。
【請求項９】
コンピュータを、
被写体の特徴量が対応付けられたシェーマの既存テンプレートであって、被写体の特徴量が段階的に変更されて作成された複数の既存テンプレートを１シリーズの既存テンプレートとして記憶する記憶手段、
複数の前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成し、前記新規テンプレートに前記選択された既存テンプレートの特徴量を対応付け、前記作成された他の新規テンプレートに他の既存のテンプレートの特徴量をそれぞれ対応付けて前記記憶手段に保存する制御手段、
として機能させるためのプログラム。
【請求項１０】
コンピュータを、
シェーマの新規テンプレートがシェーマとして用いられた医用画像を画像解析して、被写体の特徴量を算出し、新規テンプレート毎に、新規テンプレートがシェーマとして用いられた医用画像から算出された特徴量を統計処理し、当該統計処理された特徴量を前記新規テンプレートに対応付けて記憶手段に保存する制御手段、
として機能させるためのプログラム。
【発明の詳細な説明】
【技術分野】
【０００１】
本発明は、医用画像処理装置、シェーマの新規テンプレートの保存方法及びプログラムに関する。
【背景技術】
【０００２】
医師が作成する画像診断のレポートには、シェーマと呼ばれる被写体の概略図が用いられるのが一般的である。シェーマにより、レポートの読者に対し、より理解しやすい形で読影結果を伝達することができる。
【０００３】
レポートを手書きする際には、患者に拘わらず１つの標準的なシェーマが利用されるが、患者によって被写体の大きさや位置等には個体差があり、１つのシェーマのみでは個体差を反映することができなかった。そこで、被写体の個体差に対応できるように、コンピュータにより様々なシェーマを作成する方法が提案されている。
【０００４】
シェーマを自動作成する方法の一つとして、過去撮影された多数の正常な胸部を表す胸部画像から、肋骨モデル形状を含む肋骨モデル画像を多数作成し、これをシェーマのテンプレートとして用いる方法が開示されている（例えば、特許文献１参照）。この方法によれば、過去の撮影画像から作成されたシェーマのテンプレートの中から、読影対象の医用画像の肋骨モデル形状に最も近いテンプレートが相互相関により探索され、シェーマとして用いられる。
【先行技術文献】
【特許文献】
【０００５】
【特許文献１】特開２００６−１８１１４６号公報
【発明の概要】
【発明が解決しようとする課題】
【０００６】
しかしながら、上記特許文献１に記載の方法の場合、過去撮影された胸部画像を元にテンプレートを作成しているため、様々な特徴を持つ患者に幅広く対応できるテンプレートが揃っているとは限らない。読影対象の医用画像の肋骨モデル形状を表すテンプレートがなければ、患者に応じたシェーマを提供することができない。
【０００７】
幅広い特徴に対応するため、患者の個体差を表す特徴量を段階的に変更したテンプレートに、当該テンプレートが対応できる特徴量を設定して保存しておく方法が考えられる。保存されている複数のテンプレートのうち、医用画像から算出された被写体の特徴量に対応するテンプレートをシェーマとして出力することにより、実際の被写体に近いシェーマを提供することができる。しかし、各テンプレートに対応付ける特徴量の設定は難しく、設定によっては被写体に近いシェーマを提供できない場合も考えられる。
【０００８】
また、段階的に特徴量が変更されて作成された複数のテンプレートは、１つのシリーズを構成するが、そのようなテンプレート群の中に新規にテンプレートを追加すると、シリーズ内における新規テンプレートの特徴量の位置づけが難しい。同様の理由により、シリーズ中のテンプレートの一部変更も容易ではない。
【０００９】
さらに、特徴量が段階的に異なるテンプレートを個々に作成するのは煩雑である。しかし、適当に特徴量を変えてテンプレートを作成したのでは、テンプレートに対応付ける特徴量の設定が難しくなる。
【００１０】
本発明の課題は、シェーマの新規テンプレートの保存を容易にすることである。
【課題を解決するための手段】
【００１１】
請求項１に記載の発明によれば、
被写体の特徴量が対応付けられたシェーマの既存テンプレートを複数保存する記憶手段と、
複数の前記既存テンプレートのうち、シェーマの新規テンプレートに対応する既存テンプレートとして、ユーザにより選択された既存テンプレートの特徴量を、前記新規テンプレートに対応付けて前記記憶手段に保存する制御手段と、
を備えることを特徴とする医用画像処理装置が提供される。
【００１２】
請求項２に記載の発明によれば、
被写体の特徴量が段階的に変更されて作成された複数の既存テンプレートに、それぞれ被写体の特徴量を対応付けて、１シリーズの既存テンプレートとして保存する記憶手段と、
複数の前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成し、前記新規テンプレートに前記選択された既存テンプレートの特徴量を対応付け、前記作成された他の新規テンプレートに他の既存テンプレートの特徴量をそれぞれ対応付けて前記記憶手段に保存する制御手段と、
を備えることを特徴とする医用画像処理装置が提供される。
【００１３】
請求項３に記載の発明によれば、
シェーマのテンプレートに被写体の特徴量を対応付けて保存する記憶手段と、
シェーマの新規テンプレートがシェーマとして用いられた医用画像を画像解析して、被写体の特徴量を算出する制御手段と、を備え、
前記制御手段は、新規テンプレート毎に、新規テンプレートがシェーマとして用いられた医用画像から算出された特徴量を統計処理し、当該統計処理された特徴量を前記新規テンプレートに対応付けて前記記憶手段に保存する医用画像処理装置が提供される。
【００１４】
請求項４に記載の発明によれば、
前記シェーマは乳房を被写体とするシェーマであり、
前記被写体の特徴量には、乳房の横幅、乳房の縦幅、スキンラインの位置、乳頭の位置が含まれる請求項１〜３の何れか一項に記載の医用画像処理装置が提供される。
【００１５】
請求項５に記載の発明によれば、
医用画像処理装置によるシェーマの新規テンプレートの保存方法であって、
制御手段が、被写体の特徴量が対応付けられて記憶手段に保存されている複数のシェーマの既存テンプレートのうち、シェーマの新規テンプレートに対応する既存テンプレートとして、ユーザにより選択された既存テンプレートの特徴量を、前記新規テンプレートに対応付けて前記記憶手段に保存する工程を含むシェーマの新規テンプレートの保存方法が提供される。
【００１６】
請求項６に記載の発明によれば、
医用画像処理装置によるシェーマの新規テンプレートの保存方法であって、
制御手段が、被写体の特徴量が段階的に変更されて作成された複数の既存テンプレートに、それぞれ被写体の特徴量が対応付けられて記憶手段に保存されている１シリーズの前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成する工程と、
制御手段が、前記新規テンプレートに前記選択された既存テンプレートの特徴量を対応付け、前記作成された他の新規テンプレートに他の既存テンプレートの特徴量をそれぞれ対応付けて前記記憶手段に保存する工程と、
を含むシェーマの新規テンプレートの保存方法が提供される。
【００１７】
請求項７に記載の発明によれば、
医用画像処理装置によるシェーマの新規テンプレートの保存方法であって、
制御手段が、シェーマの新規テンプレートがシェーマとして用いられた医用画像を画像解析して、被写体の特徴量を算出する工程と、
制御手段が、新規テンプレート毎に、新規テンプレートがシェーマとして用いられた医用画像から算出された前記特徴量を統計処理する工程と、
制御手段が、前記統計処理された特徴量を前記新規テンプレートに対応付けて記憶手段に保存する工程と、
を含むシェーマの新規テンプレートの保存方法が提供される。
【００１８】
請求項８に記載の発明によれば、
コンピュータを、
被写体の特徴量が対応付けられたシェーマの既存テンプレートを複数保存する記憶手段、
複数の前記既存テンプレートのうち、新規テンプレートに対応する既存テンプレートとして、ユーザにより選択された既存テンプレートの特徴量を、前記新規テンプレートに対応付けて前記記憶手段に保存する制御手段、
として機能させるためのプログラムが提供される。
【００１９】
請求項９に記載の発明によれば、
コンピュータを、
被写体の特徴量が対応付けられたシェーマの既存テンプレートであって、被写体の特徴量が段階的に変更されて作成された複数の既存テンプレートを１シリーズの既存テンプレートとして記憶する記憶手段、
複数の前記既存テンプレートのうち、シェーマの新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成し、前記新規テンプレートに前記選択された既存テンプレートの特徴量を対応付け、前記作成された他の新規テンプレートに他の既存のテンプレートの特徴量をそれぞれ対応付けて前記記憶手段に保存する制御手段、
として機能させるためのプログラムが提供される。
【００２０】
請求項１０に記載の発明によれば、
コンピュータを、
シェーマの新規テンプレートがシェーマとして用いられた医用画像を画像解析して、被写体の特徴量を算出し、新規テンプレート毎に、新規テンプレートがシェーマとして用いられた医用画像から算出された特徴量を統計処理し、当該統計処理された特徴量を前記新規テンプレートに対応付けて記憶手段に保存する制御手段、
として機能させるためのプログラムが提供される。
【発明の効果】
【００２１】
本発明によれば、シェーマの新規テンプレートの保存を容易にすることができる。
【図面の簡単な説明】
【００２２】
【図１】実施の形態における医用画像処理装置の機能的構成を示す図である。
【図２】乳房を被写体とする医用画像の一例である。
【図３】乳房のシェーマのテンプレート及び当該テンプレートに対応付けられた特徴量の一例である。
【図４】第１実施形態に係る医用画像処理装置により実行される新規テンプレート保存処理を示すフローチャートである。
【図５】既存テンプレートの選択画面例である。
【図６】新規テンプレートの特徴量の対応付けを説明する図である。
【図７】第２実施形態に係る医用画像処理装置により実行される新規テンプレート保存処理を示すフローチャートである。
【図８】新規テンプレートの特徴量の対応付けを説明する図である。
【図９】第３実施形態に係る医用画像処理装置により実行される新規テンプレート保存処理を示すフローチャートである。
【図１０】医用画像と各医用画像から算出された乳房の横幅の特徴量を示す図である。
【図１１】新規テンプレートの特徴量の対応付けを説明する図である。
【発明を実施するための形態】
【００２３】
以下、図面を参照して本発明の実施の形態について説明する。
【００２４】
〈第１実施形態〉
第１実施形態では、新規に保存するシェーマの新規テンプレートを記憶手段に保存する際、当該新規テンプレートに対応するとしてユーザにより選択された既存テンプレートに対応付けられている特徴量を、新規テンプレートに対応付ける例を説明する。
【００２５】
図１は、第１実施形態に係る医用画像処理装置の機能的構成を示す。
図１に示す医用画像処理装置は、例えばＰＡＣＳ（Picture Archiving and Communication System）に組み込まれ、読影医が読影用に医用画像を表示させ、レポートを作成するために用いられる。
図１に示すように、医用画像処理装置は、制御部１１、操作部１２、表示部１３、通信部１４、記憶部１５を備えて構成されている。
【００２６】
制御部１１は、記憶部１５に記憶されているプログラムとの協働により、各種演算を行い、医用画像処理装置の各部の動作を集中制御して、各種処理を実行する制御手段である。制御部１１はＣＰＵ（Central Processing Unit）、ＲＡＭ（Random Access Memory）を備えて構成されている。
【００２７】
例えば、後述するシェーマの新規テンプレートの保存処理において、制御部１１は記憶部１５に記憶されている複数の既存テンプレートのうち、新規テンプレートに対応する既存テンプレートとして、ユーザにより選択された既存テンプレートの特徴量を、新規テンプレートに対応付けて記憶部１５に保存する。
【００２８】
操作部１２はキーボードやマウスを備え、これらの操作に応じた操作信号を生成して制御部１１に出力する。
表示部１３はディスプレイを備え、制御部１１の表示制御に従って各種操作画面や医用画像を表示する。例えば、表示部１３はビューア画面を表示し、ビューア画面上に読影対象の医用画像を表示する。また、表示部１３はレポート作成画面を表示し、レポート画面上にシェーマを表示する。
【００２９】
通信部１４は、通信用のインターフェイスを備え、ネットワーク上の外部装置と通信を行う。例えば、通信部１４は医用画像を配信するサーバから読影対象の医用画像を受信する。
【００３０】
記憶部１５は、制御部１１により実行されるプログラム、当該プログラムの実行に用いられるファイルやデータを記憶している。記憶部１５としては、ハードディスクを用いることができる。
【００３１】
記憶部１５は、シェーマのテンプレートを被写体の特徴量と対応付けて保存する記憶手段である。被写体とは患者の撮影部位をいう。被写体が乳房である場合、特徴量としては乳房の横幅、縦幅、スキンラインの位置、乳頭の位置が挙げられる。
図２は乳房を被写体とする医用画像の一例を示す。乳房の横幅は、乳房の領域Ｓａの輪郭であるスキンラインＳＬ上の画素であって、胸壁側の画像端からの距離が最大となる画素Ｓａ３と、胸壁側の画像端との間の距離ｒ１をいう。また、乳房の縦幅はスキンラインＳＬが凹形状となる上端Ｓａ１及び下端Ｓａ２間の距離ｒ２をいう。スキンラインの位置は、医用画像における上端Ｓａ１及び下端Ｓａ２の位置をいい、乳頭の位置は乳頭中央Ｑ３の位置をいう。
【００３２】
記憶部１５に保存されるシェーマのテンプレートの中には、被写体の特徴量が段階的に変更されて作成された複数のテンプレートが１シリーズのテンプレートとして保存されているものもある。
図３は、乳房の横幅ｒ１の特徴量が段階的に変更されて作成され、保存されたシェーマのテンプレートｔ１〜ｔ５の例を示している。各テンプレートｔ１〜ｔ５には各テンプレートｔ１〜ｔ５が対応できる横幅ｒ１の特徴量が対応付けられている。対応付ける特徴量はテンプレートが作成されたときの特徴量の値そのものでもよいし、当該値を含む一定範囲でもよい。図３に示す５つのテンプレートｔ１〜ｔ５の場合、各テンプレートｔ１〜ｔ５が作成されたときの特徴量の値を含む一定範囲が特徴量として対応付けられている。例えば、テンプレートｔ５の横幅ｒ１の値は７．０であるが、対応付けられている特徴量は７．０の値を含む範囲６．４＜ｒ１≦８．０である。
【００３３】
次に、上記医用画像処理装置の動作について説明する。
ユーザの操作に従って、レポートを作成するレポート作成処理時、制御部１１はレポートの対象となった医用画像に対応するシェーマをレポートに用いる。レポートに用いられるシェーマは、記憶部１５に保存されている複数のシェーマのテンプレートのうち、制御部１１によって選択されたテンプレートである。被写体が乳房である場合、制御部１１は医用画像を画像解析して、医用画像に含まれる乳房の特徴量を算出する。そして、制御部１１は算出された特徴量と対応するテンプレートを記憶部１５から取得し、シェーマとして出力する。例えば、医用画像から算出された乳房の横幅の特徴量が３．６ｃｍであった場合、図３に示すテンプレートｔ１〜ｔ５のうち、制御部１１はテンプレートｔ３を選択し、シェーマとして出力する。
【００３４】
シェーマのテンプレートは新たに追加することが可能である。
図４は、新規にシェーマのテンプレートを保存する際に医用画像処理装置により実行される新規テンプレート保存処理を示すフローチャートである。以下、乳房を被写体とするシェーマのテンプレートを保存する場合を例に説明する。また、予め特徴量が対応付けられて記憶部１５に保存されているテンプレートを既存テンプレートといい、新規に保存するテンプレートを新規テンプレートという。
【００３５】
新規テンプレート保存処理では、図４に示すように、シェーマの新規テンプレートが医用画像処理装置に入力される（ステップＳ１１）。
制御部１１は表示部１３に選択画面を表示させ、被写体の特徴量が対応付けられて記憶部１５に保存されている既存テンプレートを選択的に表示させる（ステップＳ１２）。
【００３６】
図５は、選択画面の一例を示している。
図５に示すように、選択画面上には新規テンプレートｔｅ及び既存テンプレートｔ１〜ｔ５が表示され、新規テンプレートｔｅに対応する既存テンプレートを選択するように促すメッセージが表示されている。既存テンプレートｔ１〜ｔ５は、乳房の横幅の特徴量が段階的に変更されて作成された１シリーズのテンプレート群である。ユーザは新規テンプレートと乳房の特徴が類似している既存テンプレートを選択操作すればよい。
【００３７】
選択画面において、ユーザにより何れかの既存テンプレートが選択されると（ステップＳ１３；Ｙ）、制御部１１は選択された既存テンプレートに対応付けられている乳房の特徴量を、新規テンプレートに対応付けて、新規テンプレートを記憶部１５に保存する（ステップＳ１４）。
【００３８】
例えば、図５に示す選択画面において新規テンプレートｔｅに対応する既存テンプレートとして、既存テンプレートｔ５が選択された場合、図６に示すように既存テンプレートｔ５に対応付けられている乳房の横幅ｒ１の特徴量６．４〜８．０が、新規テンプレートｔｅの特徴量としてコピーされる。新規テンプレートｔｅは、コピーされた特徴量６．４〜８．０が対応付けられて、記憶部１５に保存される。
記憶部１５に保存された新規テンプレートｔｅは、その後、既存テンプレートとして用いられる。
【００３９】
以上のように、第１実施形態によれば、制御部１１は、複数の既存テンプレートのうち、新規テンプレートに対応する既存テンプレートとして、ユーザにより選択された既存テンプレートの特徴量を、新規テンプレートの特徴量として新規テンプレートに対応付けて記憶部１５に保存する。
これにより、ユーザが新規テンプレートに類似すると判断した既存テンプレートの被写体の特徴量を、新規テンプレートに対応付けることができる。ユーザは選択する簡単な操作のみで、適切な特徴量を新規テンプレートに対応付けることができ、新規テンプレートの保存が容易となる。
【００４０】
被写体の特徴量が段階的に変更されて作成された１シリーズの既存テンプレートの一部を新規テンプレートに置き換える場合、上記のように新規テンプレートに特徴量を対応付けて保存した後、同じシリーズで同じ特徴量が対応付けられている既存テンプレートを削除すればよい。これにより、既存テンプレートの一部変更も容易に行うことが可能となる。
【００４１】
〈第２実施形態〉
第２実施形態では、被写体の特徴量を段階的に変更した新規テンプレートを作成し、１シリーズの新規テンプレートとして保存する例を説明する。
【００４２】
第２実施形態に係る医用画像処理装置の基本的な構成は、図１に示す第１実施形態に係る医用画像処理装置と同一である。よって、同一構成部分については説明を省略し、第２実施形態に係る医用画像処理装置に特徴的な動作について説明する。
【００４３】
図７は、第２実施形態に係る医用画像処理装置により、新規にシェーマのテンプレートを保存する際に実行される新規テンプレート保存処理を示すフローチャートである。以下、乳房を被写体とするシェーマのテンプレートを保存する場合を例に説明する。第１実施形態と同様に、予め特徴量が対応付けられて記憶部１５に保存されているテンプレートを既存テンプレートといい、新規に保存するテンプレートを新規テンプレートという。
【００４４】
図７に示すように、医用画像処理装置に新規テンプレートが入力されると（ステップＳ２１）、図５に示すような選択画面を表示部１３に表示させる（ステップＳ２２）。選択画面は、第１実施形態において説明した選択画面と同様に、新規テンプレートに対応する既存テンプレートを選択操作するための操作画面である。図５に示すように、選択画面には、特徴量を段階的に変更して作成された１シリーズの既存テンプレートが選択的に表示される。
【００４５】
ユーザにより、１シリーズの既存テンプレートのうち、新規テンプレートに対応する既存テンプレートが選択されると（ステップＳ２３；Ｙ）、制御部１１は選択された既存テンプレートと、同じシリーズに属する他の既存テンプレートとの特徴量の比率を算出する（ステップＳ２４）。
【００４６】
例えば、図８に示すように、１シリーズの既存テンプレートｔ１〜ｔ５のうち、新規テンプレートｔｅに対応する既存テンプレートとして既存テンプレートｔ５が選択された場合、既存テンプレートｔ５の特徴量６．４＜ｒ１≦８．０と、他の既存テンプレートｔ１〜ｔ４の特徴量との比率がそれぞれ算出される。既存テンプレートｔ１〜ｔ５に対応付けられている特徴量は範囲であるため、その範囲の最大値を元に比率を求めると、既存テンプレートｔ５を基準とする各既存テンプレートｔ１〜ｔ４の比率は、それぞれ０．２（１．６／８．０の解を四捨五入）、０．４（３．２／８．０の解を四捨五入）、０．６（＝４．８／８．０）、０．８（＝６．４／８．０）である。
【００４７】
制御部１１は算出された比率に基づいて新規テンプレートｔｅを変形し、１シリーズ分の新規テンプレートを作成する（ステップＳ２５）。
図８に示すように、制御部１１は新規テンプレートｔｅを変形し、新規テンプレートｔｅの乳房の横幅ｒ１を、新規テンプレートｔｅの横幅ｒ１に各比率を乗じた横幅ｒ１にそれぞれ変更する。これにより、図８に示すように新規テンプレートｔｅ１〜ｔｅ４が作成される。
【００４８】
制御部１１は、作成された１シリーズ分の各新規テンプレートｔｅ１〜ｔｅ４、ｔｅに、各新規テンプレートｔｅ１〜ｔｅ４、ｔｅが対応する既存テンプレートｔ１〜ｔ５の特徴量を対応付けて記憶部１５に保存する（ステップＳ２６）。具体的には、図８に示すように、新規テンプレートｔｅ１は既存テンプレートｔ１の特徴量０＜ｒ１≦１．６、新規テンプレートｔｅ２は既存テンプレートｔ２の特徴量１．６＜ｒ１≦３．２、新規テンプレートｔｅ３は既存テンプレートｔ３の特徴量３．２＜ｒ１≦４．８がそれぞれ対応付けられる。また、新規テンプレートｔｅ４は既存テンプレートｔ４の特徴量４．８＜ｒ１≦６．４、新規テンプレートｔｅは選択された既存テンプレートｔ５の特徴量６．４＜ｒ１≦８．０がそれぞれ対応付けられる。
【００４９】
以上のように、第２実施形態によれば、制御部１１は複数の既存テンプレートのうち、新規テンプレートに対応する既存テンプレートとしてユーザにより選択された既存テンプレートと、同じシリーズに属する他の既存テンプレートとの特徴量の比率に基づいて、前記新規テンプレートを変形して他の既存テンプレートの特徴量に対応する他の新規テンプレートを作成する。制御部１１は新規テンプレートには選択された既存テンプレートの特徴量を対応付け、他の新規テンプレートにはそれぞれ他の既存テンプレートの特徴量を対応付けて記憶部１５に保存する。
【００５０】
これにより、１枚の新規テンプレートから、１シリーズ分の新規テンプレートを作成し、それぞれに適切な特徴量を設定することができる。ユーザは選択する簡単な操作のみで、適切な特徴量を対応付けることができ、１シリーズ分の新規テンプレートの保存が容易となる。
【００５１】
〈第３実施形態〉
第３実施形態では、新規テンプレートがシェーマとして用いられた医用画像から求めた被写体の特徴量を統計処理し、統計処理された特徴量を新規テンプレートに対応付けて保存する例を説明する。
【００５２】
第３実施形態に係る医用画像処理装置の基本的な構成は、図１に示す第１実施形態に係る医用画像処理装置と同一である。よって、同一構成部分については説明を省略し、第３実施形態に係る医用画像処理装置に特徴的な動作について説明する。
【００５３】
図９は、第３実施形態に係る医用画像処理装置により、新規にシェーマのテンプレートを保存する際に実行される新規テンプレート保存処理を示すフローチャートである。以下、乳房を被写体とするシェーマのテンプレートを保存する場合を例に説明する。第１実施形態と同様に、予め特徴量が対応付けられて記憶部１５に保存されているテンプレートを既存テンプレートといい、新規に保存するテンプレートを新規テンプレートという。
【００５４】
図９に示すように、医用画像処理装置に新規テンプレートが入力されると（ステップＳ３１）、制御部１１はレポート作成時に、レポートに用いるシェーマの選択候補として、新規テンプレートを表示する（ステップＳ３２）。ユーザは選択候補として表示された新規テンプレートのうち、シェーマとして用いたい新規テンプレートを選択操作すればよい。レポートには選択された新規テンプレートがシェーマとして用いられる。
【００５５】
制御部１１は、レポート作成時に新規テンプレートをシェーマとして選択させる上記処理を所定回数実行する。そして、制御部１１は新規テンプレートがシェーマとして用いられた医用画像から乳房の特徴量を算出し、算出された特徴量を新規テンプレート毎に統計処理する（ステップＳ３３）。制御部１１は新規テンプレートに、統計処理によって得られた特徴量を対応付けて記憶部１５に保存する（ステップＳ３４）。
【００５６】
なお、特徴量が乳房の横幅であれば、まず図２に示す医用画像の各Ｘ座標においてＹ軸方向に各画素を走査し、その画素値Ｖ（Ｘ，Ｙ）が最大となる画素を結ぶことによりスキンラインＳＬを算出する。乳房の横幅は、図２に示すように胸壁側の画像端からの距離が最大となるスキンラインＳＬ上の画素Ｓａ３と胸壁側の画像端との距離を求めればよい。特徴量がスキンラインの位置であれば、スキンラインＳＬに対して円弧（胸壁側が凹む円弧）の曲率を算出し、当該曲率が最大となるか、或いは曲率が閾値より大きくなる凹形状の底部分に該当する画素Ｓａ１、Ｓａ２の位置を求めればよい。特徴量が乳房の縦幅であれば、乳房の上端Ｓａ１及び下端Ｓａ２間の距離を算出する。特徴量が乳頭の位置であれば、スキンラインＳＬ上の画素について画素値の２次微分値を算出し、図２に示す２つの変曲点Ｑ１、Ｑ２を求める。変曲点Ｑ１、Ｑ２を結ぶ線とスキンラインＳＬとの距離が最大となるスキンラインＳＬ上の画素が乳頭中央Ｑ３であり、乳頭中央Ｑ３の位置を乳頭の位置として求めればよい。
【００５７】
図１０は、６枚の医用画像ｇ１〜ｇ６と、各医用画像ｇ１〜ｇ６から算出された乳房の横幅の特徴量を示している。図１１は、６枚の医用画像ｇ１〜ｇ６に対し、シェーマの選択候補として挙げられた新規テンプレートｔｕ１〜ｔｕ５を示している。新規テンプレートｔｕ１〜ｔｕ５は、段階的に乳房の横幅の特徴量が変更されて作成された１シリーズのテンプレートである。図１１に示すように、新規テンプレートｔｕ１は医用画像ｇ１、ｇ５のシェーマとして用いられ、新規テンプレートｔｕ３は医用画像ｇ４のシェーマとして用いられている。新規テンプレートｔｕ４は医用画像ｇ６のシェーマとして用いられ、新規テンプレートｔｕ５は医用画像ｇ２，ｇ３のシェーマとして用いられている。
【００５８】
制御部１１は、図１１に示すように、新規テンプレートｔｕ１〜ｔｕ５毎に、シェーマとして用いられた医用画像ｇ１〜ｇ６から算出された乳房の横幅の特徴量を統計し、その平均値を算出する。制御部１１は、算出された平均値を元に各新規テンプレートｔｕ１〜ｔｕ５に対応する特徴量を算出する。例えば、新規テンプレートｔｕ３、ｔｕ４、ｔｕ５は特徴量の平均値がそれぞれ４．０、５．０、５．７５である。制御部１１は隣接する２つの新規テンプレートの平均値の中間値を境界として、新規テンプレートｔｕ３の特徴量をｒ１≦４．５、新規テンプレートｔｕ４の特徴量を４．５＜ｒ１≦５．３８、新規テンプレートｔｕ５の特徴量を５．３８＜ｒ１として、記憶部１５に保存する。
【００５９】
新規テンプレートｔｕ２のように、シェーマとして選択されていない新規テンプレートについては、新規テンプレートｔｕ１と新規テンプレートｔｕ３の平均値を３等分した値を境界として、各新規テンプレートｔｕ１〜ｔｕ３に対応付ける特徴量の範囲の境界を決定すればよい。これにより、図１１に示すように新規テンプレートｔｕ１の特徴量はｒ１≦３．４４、新規テンプレートｔｕ２の特徴量は３．４４＜ｒ１≦３．８１、新規テンプレートｔｕ３の特徴量は３．８１＜ｒ１≦４．５として記憶部１５に保存される。或いは、新規テンプレートｔｕ２を保存しないこととしてもよい。
【００６０】
以上のように、第３実施形態によれば、制御部１１は新規テンプレートがシェーマとして用いられた医用画像を画像解析して、被写体の特徴量を算出する。制御部１１は新規テンプレート毎に、新規テンプレートがシェーマとして用いられた医用画像から算出された特徴量を統計処理し、当該統計処理された特徴量を新規テンプレートに対応付けて記憶部１５に保存する。
【００６１】
これにより、ユーザはレポート作成時に、医用画像中の被写体の特徴が類似する新規テンプレートを選択する簡単な操作のみで、新規テンプレートに適切な特徴量を対応付けることができ、新規テンプレートの保存が容易となる。特徴量の対応付けのための特別な操作は不要であり、作業効率が良い。
【００６２】
なお、上述の実施形態は本発明の好適な一例であり、これに限定されない。
例えば、乳房を被写体とする例を説明したが、胸部や頭部等、他の被写体のシェーマの場合にも本発明を適用可能である。被写体の特徴を示す特徴量を用いればよい。
【００６３】
また、本発明に係るプログラムのコンピュータ読み取り可能な媒体としては、ＲＯＭ、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【符号の説明】
【００６４】
１  医用画像処理装置
１１  制御部
１２  操作部
１３  表示部
１４  通信部
１５  記憶部
【図１】
2010240096.tif 000003
【図２】
2010240096.tif 000004
【図３】
2010240096.tif 000005
【図４】
2010240096.tif 000006
【図５】
2010240096.tif 000007
【図６】
2010240096.tif 000008
【図７】
2010240096.tif 000009
【図８】
2010240096.tif 000010
【図９】
2010240096.tif 000011
【図１１】
2010240096.tif 000012
【図１０】
2010240096.tif 000013